(57)【要約】      （修正有）【課題】カードの利用を通じて、地球環境問題に対するエコ活動または福祉への貢献を図る。【解決手段】複数の店舗端末装置１０１Ａ〜１０１Ｃと、カード会社サーバ１０２と、エコポイントＤＢ１０３と、カード会員情報ＤＢ０４と、Ｗｅｂサーバ１０５と、を備え、たエコポイントＤＢ１０３に、商品とエコ活動に対する貢献ポイント数とを関連付けして登録し、カード会社サーバ１０２が、カード情報とエコポイント数とを関連付けして登録し、関連付けされたカード情報の所定の項目ごとに集計し、集計された集計結果を、所定のＷｅｂサーバに閲覧可能に登録する。これによって、カード利用にともなって、エコ活動または福祉への貢献がなされることをカード利用者に容易に意識させることができる。【選択図】図１
2010238064.tif 000002
【特許請求の範囲】
【請求項１】
商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムであって、
前記店舗端末装置は、
顧客が購入した商品またはサービスに関する情報の入力を受け付ける入力手段と、
前記入力手段によって入力された情報にかかる商品またはサービスに対するエコポイント数を取得するポイント数取得手段と、
前記ポイント数取得手段によって取得されたエコポイント数を、前記入力手段によって入力された情報にかかる利用金額情報および前記顧客が支払いに使用したカード情報とともに、カード会社サーバへ送信する送信手段と、
を備え、
前記カード会社サーバは、
前記利用金額情報、前記カード情報および前記エコポイント数を、前記店舗端末装置から受信する受信手段と、
前記受信手段によって受信された前記カード情報と前記エコポイント数とを関連付けして記憶する記憶手段と、
前記エコポイント数を前記記憶手段において関連付けされたカード情報の所定の項目ごとに集計する集計処理手段と、
前記集計処理手段によって集計された集計結果を、所定のＷｅｂサーバに閲覧可能に登録する登録手段と、
を備えたことを特徴とするカード決済システム。
【請求項２】
前記店舗端末装置は、
当該店舗において取り扱う商品またはサービスと、当該商品またはサービスのエコ活動または福祉に対する貢献ポイント数とを関連付けして登録したデータベースを備え、または当該データベースと前記ネットワークによって接続され、
前記ポイント数取得手段は、前記入力手段によって入力された情報にかかる商品またはサービスに対するエコポイント数を前記データベースから取得することを特徴とする請求項１に記載のカード決済システム。
【請求項３】
前記集計処理手段は、複数の顧客のエコポイント数をカード情報の所定の項目が共通する集合ごとに集計することを特徴とする請求項１または２に記載のカード決済システム。
【請求項４】
前記集計処理手段は、複数の顧客のエコポイント数をカード情報の所定の複数の項目が全て共通する集合ごとに集計することを特徴とする請求項３に記載のカード決済システム。
【請求項５】
前記カード会社サーバは、前記Ｗｅｂサーバを介して、前記エコポイント数に関する集計の要求を受け付ける受付手段を備え、
前記集計処理手段は、前記受付手段によって受け付けられた集計の要求に基づいて、エコポイント数を集計することを特徴とする請求項１〜４のいずれか一つに記載のカード決済システム。
【請求項６】
商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムが用いるカード決済方法であって、
前記店舗端末装置が、入力手段と、ポイント数取得手段と、送信手段と、を備え、
前記入力手段が、顧客が購入した商品またはサービスに関する情報の入力を受け付ける入力工程と、
前記ポイント数取得手段が、前記入力工程によって入力された情報にかかる商品またはサービスに対するエコポイント数を取得するポイント数取得工程と、
前記送信手段が、前記ポイント数取得工程によって取得されたエコポイント数を、前記入力工程によって入力された情報にかかる利用金額情報および前記顧客が支払いに使用したカード情報とともに、カード会社サーバへ送信する送信工程と、
を含み、
前記カード会社サーバが、受信手段と、記憶手段と、集計処理手段と、登録手段と、を備え、
前記受信手段が、前記利用金額情報、前記カード情報および前記エコポイント数を、前記店舗端末装置から受信する受信工程と、
前記記憶手段に対して、前記受信工程によって受信された前記カード情報と前記エコポイント数とを関連付けして登録する登録工程と、
前記集計処理手段が、前記エコポイント数を前記記憶手段において関連付けされたカード情報の所定の項目ごとに集計する集計処理工程と、
前記登録手段が、前記集計処理工程によって集計された集計結果を、所定のＷｅｂサーバに閲覧可能に登録する登録工程と、
を含んだことを特徴とするカード決済方法。
【請求項７】
前記店舗端末装置が、当該店舗において取り扱う商品またはサービスと、当該商品またはサービスのエコ活動または福祉に対する貢献ポイント数とを関連付けして登録したデータベースを備え、または当該データベースと前記ネットワークによって接続され、
前記ポイント数取得工程が、前記入力工程によって入力された情報にかかる商品またはサービスに対するエコポイント数を前記データベースから取得することを特徴とする請求項６に記載のカード決済方法。
【請求項８】
商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムに実行させるカード決済プログラムであって、
前記店舗端末装置が、入力手段と、ポイント数取得手段と、送信手段と、を備え、
前記入力手段が、顧客が購入した商品またはサービスに関する情報の入力を受け付ける入力工程と、
前記ポイント数取得手段が、前記入力工程によって入力された情報にかかる商品またはサービスに対するエコポイント数を取得するポイント数取得工程と、
前記送信手段が、前記ポイント数取得工程によって取得されたエコポイント数を、前記入力工程によって入力された情報にかかる利用金額情報および前記顧客が支払いに使用したカード情報とともに、カード会社サーバへ送信する送信工程と、
を前記店舗端末装置に実行させ、
前記カード会社サーバが、受信手段と、記憶手段と、集計処理手段と、登録手段と、を備え、
前記受信手段が、前記利用金額情報、前記カード情報および前記エコポイント数を、前記店舗端末装置から受信する受信工程と、
前記記憶手段に対して、前記受信工程によって受信された前記カード情報と前記エコポイント数とを関連付けして登録する登録工程と、
前記集計処理手段が、前記エコポイント数を前記記憶手段において関連付けされたカード情報の所定の項目ごとに集計する集計処理工程と、
前記登録手段が、前記集計処理工程によって集計された集計結果を、所定のＷｅｂサーバに閲覧可能に登録する登録工程と、
を前記カード会社サーバに実行させることを特徴とするカード決済プログラム。
【請求項９】
前記店舗端末装置が、当該店舗において取り扱う商品またはサービスと、当該商品またはサービスのエコ活動または福祉に対する貢献ポイント数とを関連付けして登録したデータベースを備え、または当該データベースと前記ネットワークによって接続され、
前記ポイント数取得工程が、前記入力工程によって入力された情報にかかる商品またはサービスに対するエコポイント数を前記データベースから取得することを特徴とする請求項８に記載のカード決済プログラム。
【発明の詳細な説明】
【技術分野】
【０００１】
この発明は、商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システム、当該カード決済システムが用いるカード決済方法および当該カード決済システムに実行させるカード決済プログラムに関する。
【背景技術】
【０００２】
近年、地球環境問題に対するエコ（エコロジー）活動や福祉に対する貢献の重要性が高まってきている。今後ますますこの傾向が高くなることが十分予想される。したがって、商品やサービスを消費するに当たっては、このような貢献度を顧客に対して強く意識させることが重要である。
【０００３】
従来、クレジットカードなどのカードを用いて商品やサービスを購入するに当たっては、購入金額に応じたポイントをカード会社などが付与するポイントシステムが一般的である。獲得したポイントは、ポイント数に応じて所定の商品やサービスなどの景品との交換が可能である。したがって、カード会員である顧客は、多くのポイントの獲得を目指して、積極的にカードを使用する。このように、利用金額に応じたポイント付与が、顧客へのカード利用のインセンティブとなっている。
【発明の概要】
【発明が解決しようとする課題】
【０００４】
しかしながら、利用金額に応じてポイントを付与するだけでは、エコ活動や福祉には積極的に貢献することはできず、逆に無駄な消費を煽ることでエコへの貢献の意識を逆に薄めてしまっているという問題点があった。
【０００５】
この発明は、上述した従来技術による問題点を解消するため、カードの利用を通じて、地球環境問題に対するエコ活動または福祉への貢献を図ることができるカード決済システム、カード決済方法およびカード決済プログラムを提供することを目的とする。
【課題を解決するための手段】
【０００６】
上述した課題を解決し、目的を達成するため、この発明にかかるカード決済システムは、商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムであって、前記店舗端末装置が、顧客が購入した商品またはサービスに関する情報の入力を受け付ける入力手段と、前記入力手段によって入力された情報にかかる商品またはサービスに対するエコポイント数を取得するポイント数取得手段と、前記ポイント数取得手段によって取得されたエコポイント数を、前記入力手段によって入力された情報にかかる利用金額情報および前記顧客が支払いに使用したカード情報とともに、カード会社サーバへ送信する送信手段と、を備え、前記カード会社サーバが、前記利用金額情報、前記カード情報および前記エコポイント数を、前記店舗端末装置から受信する受信手段と、前記受信手段によって受信された前記カード情報と前記エコポイント数とを関連付けして記憶する記憶手段と、前記エコポイント数を前記記憶手段において関連付けされたカード情報の所定の項目ごとに集計する集計処理手段と、前記集計処理手段によって集計された集計結果を、所定のＷｅｂサーバに閲覧可能に登録する登録手段と、を備えたことを特徴とする。
【０００７】
また、この発明にかかるカード決済システムは、上記発明において、前記店舗端末装置が、当該店舗において取り扱う商品またはサービスと、当該商品またはサービスのエコ活動または福祉に対する貢献ポイント数とを関連付けして登録したデータベースを備え、または当該データベースと前記ネットワークによって接続され、前記ポイント数取得手段が、前記入力手段によって入力された情報にかかる商品またはサービスに対するエコポイント数を前記データベースから取得することを特徴とする。
【０００８】
また、この発明にかかるカード決済システムは、上記発明において、前記集計処理手段が、複数の顧客のエコポイント数をカード情報の所定の項目が共通する集合ごとに集計することを特徴とする。
【０００９】
また、この発明にかかるカード決済システムは、上記発明において、前記集計処理手段が、複数の顧客のエコポイント数をカード情報の所定の複数の項目が全て共通する集合ごとに集計することを特徴とする。
【００１０】
また、この発明にかかるカード決済システムは、上記発明において、前記カード会社サーバが、前記Ｗｅｂサーバを介して、前記エコポイント数に関する集計の要求を受け付ける受付手段を備え、前記集計処理手段が、前記受付手段によって受け付けられた集計の要求に基づいて、エコポイント数を集計することを特徴とする。
【００１１】
また、この発明にかかるカード決済方法は、商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムが用いるカード決済方法であって、前記店舗端末装置が、入力手段と、ポイント数取得手段と、送信手段と、を備え、前記入力手段が、顧客が購入した商品またはサービスに関する情報の入力を受け付ける入力工程と、前記ポイント数取得手段が、前記入力工程によって入力された情報にかかる商品またはサービスに対するエコポイント数を取得するポイント数取得工程と、前記送信手段が、前記ポイント数取得工程によって取得されたエコポイント数を、前記入力工程によって入力された情報にかかる利用金額情報および前記顧客が支払いに使用したカード情報とともに、カード会社サーバへ送信する送信工程と、を含み、前記カード会社サーバが、受信手段と、記憶手段と、集計処理手段と、登録手段と、を備え、前記受信手段が、前記利用金額情報、前記カード情報および前記エコポイント数を、前記店舗端末装置から受信する受信工程と、前記記憶手段に対して、前記受信工程によって受信された前記カード情報と前記エコポイント数とを関連付けして登録する登録工程と、前記集計処理手段が、前記エコポイント数を前記記憶手段において関連付けされたカード情報の所定の項目ごとに集計する集計処理工程と、前記登録手段が、前記集計処理工程によって集計された集計結果を、所定のＷｅｂサーバに閲覧可能に登録する登録工程と、を含んだことを特徴とする。
【００１２】
また、この発明にかかるカード決済方法は、上記発明において、前記店舗端末装置が、当該店舗において取り扱う商品またはサービスと、当該商品またはサービスのエコ活動または福祉に対する貢献ポイント数とを関連付けして登録したデータベースを備え、または当該データベースと前記ネットワークによって接続され、前記ポイント数取得工程が、前記入力工程によって入力された情報にかかる商品またはサービスに対するエコポイント数を前記データベースから取得することを特徴とする。
【００１３】
また、この発明にかかるカード決済プログラムは、商品またはサービスの提供の対価をカードにて支払いが可能な店舗に備えられた店舗端末装置と、前記店舗において前記支払いに使用されたカードの決済処理をおこなうカード会社に備えられたカード会社サーバと、がネットワークによって接続されたカード決済システムに実行させるカード決済プログラムであって、前記店舗端末装置が、入力手段と、ポイント数取得手段と、送信手段と、を備え、前記入力手段が、顧客が購入した商品またはサービスに関する情報の入力を受け付ける入力工程と、前記ポイント数取得手段が、前記入力工程によって入力された情報にかかる商品またはサービスに対するエコポイント数を取得するポイント数取得工程と、前記送信手段が、前記ポイント数取得工程によって取得されたエコポイント数を、前記入力工程によって入力された情報にかかる利用金額情報および前記顧客が支払いに使用したカード情報とともに、カード会社サーバへ送信する送信工程と、を前記店舗端末装置に実行させ、前記カード会社サーバが、受信手段と、記憶手段と、集計処理手段と、登録手段と、を備え、前記受信手段が、前記利用金額情報、前記カード情報および前記エコポイント数を、前記店舗端末装置から受信する受信工程と、前記記憶手段に対して、前記受信工程によって受信された前記カード情報と前記エコポイント数とを関連付けして登録する登録工程と、前記集計処理手段が、前記エコポイント数を前記記憶手段において関連付けされたカード情報の所定の項目ごとに集計する集計処理工程と、前記登録手段が、前記集計処理工程によって集計された集計結果を、所定のＷｅｂサーバに閲覧可能に登録する登録工程と、を前記カード会社サーバに実行させることを特徴とする。
【００１４】
また、この発明にかかるカード決済プログラムは、上記発明において、前記店舗端末装置が、当該店舗において取り扱う商品またはサービスと、当該商品またはサービスのエコ活動または福祉に対する貢献ポイント数とを関連付けして登録したデータベースを備え、または当該データベースと前記ネットワークによって接続され、前記ポイント数取得工程が、前記入力工程によって入力された情報にかかる商品またはサービスに対するエコポイント数を前記データベースから取得することを特徴とする。
【発明の効果】
【００１５】
本発明にかかるカード決済システム、カード決済方法、およびカード決済プログラムによれば、カード利用者のエコ活動または福祉への貢献を意識させることで、カードの利用を通じて、地球環境問題に対するエコ活動または福祉への貢献を図り、かつカードの利用促進を図ることができるという効果を奏する。
【図面の簡単な説明】
【００１６】
【図１】この発明の本実施の形態にかかるカード決済システムのシステム構成を示す説明図である。
【図２】この発明の本実施の形態にかかる店舗端末装置のハードウエア構成を示す説明図である。
【図３】この発明の本実施の形態にかかる店舗端末装置の機能的構成を示す説明図である。
【図４】エコポイント・データベース（ＤＢ）のデータ構成の内容の一例を示す説明図である。
【図５】この発明の実施の形態にかかる店舗端末装置における処理の手順を示すフローチャートである。
【図６】この発明の本実施の形態にかかるカード会社サーバのハードウエア構成を示す説明図である。
【図７】この発明の本実施の形態にかかるカード会社サーバの機能的構成を示す説明図である。
【図８】カード会員情報データベース（ＤＢ）のデータ構成の内容の一例を示す説明図である。
【図９】カード会社サーバの記憶部のデータ構成の内容の一例を示す説明図である。
【図１０】この発明の実施の形態にかかるカード会社サーバにおける処理の手順を示すフローチャートである。
【図１１】この発明の実施の形態にかかるカード会社サーバにおける別の処理の手順を示すフローチャートである。
【図１２】Ｗｅｂサーバに登録される表示画面の一例を示す説明図である。
【図１３】Ｗｅｂサーバに登録される表示画面の別の一例を示す説明図である。
【図１４】Ｗｅｂサーバに登録される表示画面の別の一例を示す説明図である。
【図１５】グループの選択画面の一例を示す説明図である。
【図１６】Ｗｅｂサーバに登録される表示画面の別の一例を示す説明図である。
【図１７−１】カードの外観の一例を示す説明図である。
【図１７−２】カードの外観の別の一例を示す説明図である。
【発明を実施するための形態】
【００１７】
以下に添付図面を参照して、この発明にかかるカード決済システム、カード決済方法およびカード決済プログラムの好適な実施の形態を詳細に説明する。
【００１８】
（カード決済システムの構成）
図１は、この発明の本実施の形態にかかるカード決済システムのシステム構成を示す説明図である。図１において、カード決済システムは、複数の店舗端末装置１０１（１０１Ａ、１０１Ｂ、１０１Ｃ）と、カード会社サーバ１０２と、エコポイント・データベース（ＤＢ）１０３と、カード会員情報データベース（ＤＢ）１０４と、Ｗｅｂサーバ１０５とが、図示を省略するネットワークで接続されている。
【００１９】
複数の店舗端末装置１０１は、商品またはサービスの提供の対価をカードにて支払いが可能な店舗に備えられている。カード会社サーバ１０２は、カード会社に備えられており、上記店舗において支払いに使用されたカードの決済処理をおこなう。また、エコポイントＤＢ１０３には、上記店舗において取り扱う商品またはサービスと、あらかじめ定められた当該商品またはサービスのエコ活動または福祉に対する貢献ポイント数とを関連付けして登録している。カード会員情報データベース（ＤＢ）１０４には、あらかじめ登録されているカード会員に関する情報が登録されている。Ｗｅｂサーバ１０５は、所定の情報をインターネットを通じて閲覧可能に登録する。
【００２０】
（店舗端末装置の内容）
つぎに、店舗端末装置のハードウエア構成について説明する。図２は、この発明の本実施の形態にかかる店舗端末装置のハードウエア構成を示す説明図である。図２において、店舗端末装置１０１は、ＣＰＵ２０１と、ＲＡＭ２０２と、ＲＯＭ２０３と、ＨＤ２０４と、インタフェース（Ｉ／Ｆ）２０５と、バーコードリーダー２０６と、カードリーダー２０７と、操作キー２０８と、表示装置２０９と、プリンタ２１０と、がバス２００を介してそれぞれ接続されている。
【００２１】
ＣＰＵ２０１は、店舗端末装置１０１の全体の制御を司る。ＲＡＭ２０２は、ＣＰＵ２０１のワークエリアとして使用される。ＲＯＭ２０３は、ブートプログラムなどのプログラムを記憶している。ＨＤ２０４は、ＣＰＵ２０１の制御に基づいて各種データを記憶する。ＨＤ２０４の他に、図示を省略する着脱可能な外部記憶装置（ＣＤ、ＤＶＤロム、メモリーカードなど）を備えていてもよい。
【００２２】
インタフェース（Ｉ／Ｆ）２０５は、通信回線を通じてネットワークに接続され、ネットワークを介して、カード会社サーバ１０２やエコポイントＤＢ１０３などに接続される。そして、Ｉ／Ｆ２０５は、ネットワークと店舗端末装置１０１の装置内部とのインタフェースを司り、カード会社サーバ１０２、エコポイントＤＢ１０３、などからのデータの入出力を制御する。Ｉ／Ｆ２０５は、たとえばモデムやＬＡＮアダプタなどである。またＩ／Ｆ２０５は、ＵＳＢなどの外部入出力としても用いることができる。また、Ｉ／Ｆ２０５は、既存のＰＯＳシステムなどを用いて構築するようにしてもよい。
【００２３】
バーコードリーダー２０６は、商品に設けられたバーコードを光学的に読み取る。カードリーダー２０７と、クレジットカードなどの各種カードに記憶されているデータを読み取る。また、カードリーダー２０７は、カードに磁気記録されたあるいはＩＣチップに記録されたカードに関する情報を読み取る。
【００２４】
操作キー２０８は、金額や商品情報などを入力・設定するためのキーである。また、表示装置２０９は、文書、画像、機能情報などのデータを表示する。たとえば、ＴＦＴ液晶ディスプレイのほか、ＣＲＴやプラズマディスプレイなどであってもよい。また、プリンタ２１０は、カード利用の際のレシートを印刷する。プリンタ２１０は、レシートの印刷だけでなく、カードの表面および裏面の少なくともいずれかに文字または画像を印刷する機能も備えている。プリンタ２１０は、たとえば、レーザビームプリンタ、インクジェットプリンタ、サーマルプリンタ、インパクトプリンタなどの各種プリンタである。
【００２５】
つぎに、店舗端末装置の機能的構成について説明する。図３は、この発明の本実施の形態にかかる店舗端末装置の機能的構成を示す説明図である。図３において、店舗端末装置１０１Ａ、１０１Ｂ、１０１Ｃは、商品情報入力部３０１と、カード情報入力部３０２と、代金支払処理部３０３と、受信部３０４と、エコポイント数取得部３０５と、送信部３０６と、を含む構成となっている。
【００２６】
商品情報入力部３０１は、顧客であるカード会員が購入した商品またはサービスに関する情報の入力を受け付ける。商品情報入力部３０１は、具体的には、たとえば図２に示したバーコードリーダー２０６または操作キー２０８によってその機能を実現することができる。
【００２７】
カード情報入力部３０２は、顧客であるカード会員のカードを読み取って、カードに記憶されているカード番号、カードの有効期限、顧客の氏名などのカード情報を取得する。カード情報入力部３０２は、具体的には、たとえば図２に示したカードリーダー２０７によってその機能を実現することができる。
【００２８】
代金支払処理部３０３は、商品情報入力部３０１によって入力された商品情報およびカード情報入力部３０２によって入力されたカード情報に基づいて、カードでの代金の支払い処理をおこなう。代金支払処理部３０３は、具体的には、たとえば図２に示したＣＰＵ２０１がＲＡＭ２０２、ＲＯＭ２０３、ＨＤ２０４に記憶されたプログラムを実行することによってその機能を実現することができる。
【００２９】
受信部３０４は、カード情報入力部３０２によって入力されたカード情報にかかるカードの与信確認要求（この与信確認要求は送信部３０６から送信される）に対する、与信の適否に関する情報を受信する。受信部３０４は、具体的には、たとえば図２に示したＩ／Ｆ２０５によってその機能を実現することができる。
【００３０】
エコポイント数取得部３０５は、商品情報入力部３０１によって入力された情報を、代金支払処理部３０３から受け取り、当該情報にかかる商品またはサービスに対するエコポイント数をエコポイントＤＢ１０３から取得する。エコポイント数取得部３０５は、たとえば図２に示したＩ／Ｆ２０５によって、または、たとえば図２に示したＣＰＵ２０１がＲＡＭ２０２、ＲＯＭ２０３、ＨＤ２０４に記憶されたプログラムを実行することによってその機能を実現することができる。
【００３１】
また、エコポイント数取得部３０５は、商品またはサービスに対するエコポイント数をエコポイントＤＢ１０３から取得する代わりに、商品などに付与されている、図示を省略するＩＣチップなどに書き込まれているエコポイント数を読み出すことで取得するようにしてもよい。この場合には、エコポイントＤＢ１０３は不要となる。上記ＩＣチップにエコポイント数を格納することによって、より確実にかつ迅速に、商品などのエコポイント数を取得することができる。
【００３２】
また、エコポイント数はエコポイントＤＢ１０３と、上記ＩＣチップの両方に格納されていてもよく、エコポイント数取得部３０５は、状況に応じて、いづれかにアクセスして、エコポイント数を取得できればよい。また、両方にアクセスして、両方のエコポイント数を比較し、両方のエコポイント数を確認の上、エコポイント数を確定するようにしてもよい。
【００３３】
また、エコポイント数取得部３０５は、商品コードなどから、その時の相場で、あらかじめ定められたエコポイント数の拡大率などが加味されるようになっていてもよい。この場合、エコポイント数は、同一商品であっても、商品の購入時期や、購入数、他の商品と組み合わせなどによって、拡大率が決定され、決定された拡大率に応じて、取得するエコポイント数が変化するようにしてもよい。また、エコポイント数の拡大率を加味する代わりにエコポイント数の減縮率を加味する場合であってもよい。
【００３４】
送信部３０６は、エコポイント数取得部３０５によって取得されたエコポイント数を、代金支払処理部３０３よって処理された情報にかかる利用金額情報および顧客が支払いに使用したカード情報とともに、カード会社サーバ１０２へ送信する。このように、通常、店舗端末装置１０１からカード会社サーバ１０２へは、カード情報と利用金額情報だけが送信され、どのような商品を購入したかなどの商品に関する情報は送信されない。したがって、カード会社サーバ１０２は、購入された商品かどのような商品であるかに関する情報を知り得ない。
【００３５】
そこで、購入された商品に関する情報がわかっている店舗端末装置１０１が、エコポイント数取得部３０５によって、エコポイントＤＢ１０３からエコポイント数を取得する。そして送信部３０６は、エコポイント数取得部３０５によって取得されたエコポイント数をカード会社サーバ１０２へ送信する。
【００３６】
このように、カード会社サーバ１０２は、店舗端末装置１０１の送信部３０６によって送信されたエコポイント数によって、当該会員が獲得したエコポイント数を知ることになる。送信部３０６は、具体的には、たとえば図２に示したＩ／Ｆ２０５によってその機能を実現することができる。
【００３７】
図４は、エコポイント・データベース（ＤＢ）のデータ構成の内容の一例を示す説明図である。図４において、エコポイントＤＢ１０３は、商品（またはサービス）のＩＤと、当該商品（またはサービス）ごとにエコポイント数に関する情報および備考に関する情報が関連付けされて登録されている。
【００３８】
エコポイント数は、商品やサービスのエコに対する貢献度に基づいてあらかじめ定められており、必要に応じて、定期的にそのポイント数は改訂される。エコポイント数はプラスのポイントだけではなく、商品によっては０点のものやマイナスのものが含まれる。エコポイント数は、商品やサービスの特徴に応じて、客観的に定める。具体的には、たとえば、基準となる任意の商品を選定し、当該任意の商品のエコポイント数を定める。そして、当該任意の商品に対して、エコの貢献度がプラスなのかマイナスなのかによって、エコポイント数を定めることができる。
【００３９】
同様の性能の電化製品において、任意の商品よりも消費電力が少ない場合は、その消費電力量に応じたプラスのエコポイント数が設定される。また、当該任意の商品よりも包装が簡易になっている場合は、包装の簡易度に応じてプラスのエコポイント数が設定される。また、財団法人日本環境協会のエコマークが認定されている商品であるか否かによってエコポイントを変えるようにしてもよい。
【００４０】
また「備考」項目には、たとえば商品のエコポイント数を参照するに当たっての参照事項に関する情報などが含まれる。たとえば、当該商品を同時に３つ以上購入した場合には、それだけエコに貢献したとみなして、当該商品のエコポイント数を２０％アップしたり、任意の他の商品と同時に購入した場合には、エコポイントを３ポイント加算するなどであってもよい。
【００４１】
図３では、エコポイントＤＢ１０３は、店舗端末装置１０１とは、図示を省略するネットワークで接続されるように構成したが、これに限定されるものではない。たとえば、エコポイントＤＢ１０３を、各店舗端末装置１０１内に個別に備え、エコポイント数取得部３０５は、ネットワークを介することなく、エコポイントＤＢ１０３からエコポイント数を取得できるようにしてもよい。その場合は、エコポイントＤＢ１０３には、当該店舗で取り扱う商品またはサービスに関するエコポイント数の情報のみを登録しておけばよい。
【００４２】
つぎに、店舗端末装置における処理の手順について説明する。図５は、この発明の実施の形態にかかる店舗端末装置における処理の手順を示すフローチャートである。図５のフローチャートにおいて、カード会員による商品の購入にともない、商品のバーコードの入力があったか否かを判断する（ステップＳ５０１）。
【００４３】
ステップＳ５０１において、商品のバーコードの入力がない場合（ステップＳ５０１：Ｎｏ）は、ステップＳ５０５へ移行する。一方、商品のバーコードが入力された場合（ステップＳ５０１：Ｙｅｓ）は、つぎに、入力されたバーコード情報から商品情報を取得する（ステップＳ５０２）とともに、当該バーコード情報からエコポイント数を取得する（ステップＳ５０３）。
【００４４】
つぎに、取得した商品情報およびエコポイント数の少なくともいずれかを表示装置２０９に表示する（ステップＳ５０４）。購入商品のバーコードが、バーコードリーダー２０６によって読み取られるたびに、当該商品のエコポイント数が、表示装置２０９の表示画面に表示されるので、カード会員は、その都度、獲得するエコポイント数を確認することができる。
【００４５】
そして、全ての商品のバーコードの入力が完了したか否かを判断する（ステップＳ５０５）。入力が完了したか否かは、たとえば、入力が完了したことを示す所定のキーが押下されたか否かによって判断する。ここで、全ての商品のバーコードの入力が未だ完了していない場合（ステップＳ５０５：Ｎｏ）は、ステップＳ５０１へ戻って、ステップＳ５０１〜Ｓ５０５の各工程を繰り返し実行する。
【００４６】
ステップＳ５０５において、全ての商品のバーコードの入力が完了した場合（ステップＳ５０５：Ｙｅｓ）は、全ての商品の代金の合計、すなわちカードの利用金額を算出する（ステップＳ５０６）とともに、全ての商品のエコポイント総数を算出する（ステップＳ５０７）。
【００４７】
つぎに、カード情報の入力があったか否かを判断する（ステップＳ５０８）。ここで、カード情報の入力を待って（ステップＳ５０８：Ｎｏ）、入力があった場合（ステップＳ５０８：Ｙｅｓ）は、入力があったカード情報の与信処理をおこなう（ステップＳ５０９）。そして、与信ＮＧの場合（ステップＳ５１０：Ｎｏ）は、エラー処理をおこなう。エラー処理は、具体的には、当該カードでの支払いができない旨をカード会員に通知し、別のカードによる支払いか、あるいは現金などによる支払いを要求する。別のカードによる支払いが選択された場合は、ステップＳ５０８へ戻る。
【００４８】
一方、現金支払いの場合は、一連の処理は終了する。エコポイント数を蓄積するには、あくまで、カードによる支払いをすることを前提とする。現金払いではカード会員を自動的に特定できないからである。
【００４９】
ステップＳ５１０において、与信ＯＫの場合（ステップＳ５１０：Ｙｅｓ）は、レシートを印刷する（ステップＳ５１１）。レシートは、通常のクレジットカードによる支払いと同様に、顧客控えと顧客の署名欄を有する店舗側控えとからなる。当該レシートに、獲得エコポイント数を示す数値または画像（たとえば、樹木の画像（エコポイント数に応じて樹木の本数が増える）など）を印刷するようにしてもよい。
【００５０】
その後、カード情報と、利用金額情報と、エコポイント数をまとめて、ネットワークを介してカード会社サーバへ送信する（ステップＳ５１２）。これによって、一連の処理を終了する。
【００５１】
（カード会社サーバの内容）
つぎに、カード会社サーバのハードウエア構成について説明する。図６は、この発明の本実施の形態にかかるカード会社サーバのハードウエア構成を示す説明図である。図６において、カード会社サーバ１０２は、ＣＰＵ６０１と、ＲＡＭ６０２と、ＲＯＭ６０３と、インタフェース（Ｉ／Ｆ）６０４と、ＨＤ６０５と、入力装置６０６と、がバス６００によって接続されている。
【００５２】
ＣＰＵ６０１は、カード会社サーバ１０２の全体の制御を司る。ＲＡＭ６０２は、ＣＰＵ６０１のワークエリアとして使用される。ＲＯＭ６０３は、ブートプログラムなどのプログラムを記憶している。
【００５３】
インタフェース（Ｉ／Ｆ）６０４は、通信回線を通じてネットワークに接続され、ネットワークを介して、店舗端末装置１０１やカード会員情報ＤＢ１０４などに接続される。そして、Ｉ／Ｆ６０４は、ネットワークとカード会社サーバ１０２のサーバ内部とのインタフェースを司り、店舗端末装置１０１、カード会員情報ＤＢ１０４などからのデータの入出力を制御する。
【００５４】
ＨＤ６０５は、ＣＰＵ６０１の制御に基づいて各種データを記憶する。ＨＤ６０５の他に、図示を省略する着脱可能な外部記憶装置（ＣＤ、ＤＶＤロム、メモリーカードなど）を備えていてもよい。入力装置６０６は、カード会社サーバ１０２へのデータなどの入力や設定などに用いる。具体的には、キーボードやマウスなどを含む。また、図示を省略するが、表示装置、印刷装置などを備えていてもよい。
【００５５】
図７は、この発明の本実施の形態にかかるカード会社サーバの機能的構成を示す説明図である。図７において、カード会社サーバ１０２は、受信部７０１と、送信部７０２と、決済処理部７０３と、記憶部７０４と、エコポイント集計部７０５と、登録部７０６と、を含む構成となっている。
【００５６】
受信部７０１は、店舗端末装置１０１の送信部３０６から送信されたカード情報、利用金額情報、エコポイント情報を受信する。また、店舗端末装置１０１の送信部３０６から送信された与信確認要求を受信する。受信部７０１は、具体的には、たとえば、Ｉ／Ｆ６０４によってその機能を実現することができる。
【００５７】
送信部７０２は、決済処理部７０３によって判断された与信適否に関する情報を店舗端末装置１０１Ａ〜１０１Ｃの送信部３０６へ送信する。送信部７０２は、具体的には、たとえば、Ｉ／Ｆ６０４によってその機能を実現することができる。
【００５８】
決済処理部７０３は、カード会員情報ＤＢ１０４を参照して、受信部７０１によって受信されたカード情報および利用金額情報を用いて、決済処理をおこなうとともに、受信部７０１によって受信されたエコポイント数を記憶部７０４に当該カード情報と関連付けして記憶する。店舗情報については、データの送信元ＩＤに基づいて認識することができる。決済処理部７０３は、ＣＰＵ６０１が、ＲＡＭ６０２、ＲＯＭ６０３、ＨＤ６０５に記憶されたプログラムを実行することによって、その機能を実現することができる。
【００５９】
記憶部７０４は、決済処理部７０３によって決済された結果に関する情報を記憶する。また、取得したエコポイント数もあわせて記憶する。記憶部７０４の詳細な内容については後述する（図９を参照）。記憶部７０４は、具体的には、たとえば、ＲＡＭ６０２、ＨＤ６０５などによってその機能を実現することができる。また、図示を省略するデータベースによってその機能を実現するようにしてもよく、当該データベースは、カード会社サーバ１０２とネットワークによって接続されていてもよい。
【００６０】
エコポイント集計部７０５は、カード会員情報ＤＢ１０４を参照して、記憶部７０４に記憶されたエコポイント数を、関連付けされたカード情報の所定の項目ごとに集計する。集計の詳細については後述する。エコポイント集計部７０５は、ＣＰＵ６０１が、ＲＡＭ６０２、ＲＯＭ６０３、ＨＤ６０５に記憶されたプログラムを実行することによって、その機能を実現することができる。
【００６１】
登録部７０６は、エコポイント集計部７０５によって集計された集計結果を、所定のＷｅｂサーバ１０５に閲覧可能に登録する。また、登録部７０６は、Ｗｅｂサーバ１０５を介して、カード会員から入力された集計要求情報をＷｅｂサーバ１０５から受信し、エコポイント集計部７０５へ渡す。登録部７０６は、Ｉ／Ｆ６０４によって、または、ＣＰＵ６０１が、ＲＡＭ６０２、ＲＯＭ６０３、ＨＤ６０５に記憶されたプログラムを実行することによって、その機能を実現することができる。
【００６２】
図８は、カード会員情報データベース（ＤＢ）のデータ構成の内容の一例を示す説明図である。図８において、カード会員情報ＤＢ１０４は、カード会員ＩＤごとに当該カードに関する情報および当該カードを所有するカード会員に関する情報が登録されている。カード会員ＩＤは、カード番号を用いてもよい。
【００６３】
カード会員に関する情報は、具体的には、たとえば、カード会員の氏名、現住所、生年月日、性別、本籍（または出身地）、血液型、職業、年収など、カード会員の個人情報に関する内容から構成される。また、カード会員に関する情報には、たとえば入会日や限度額などの当該カードに関する情報も含まれていてもよい。決済処理部７０３は、カード番号に基づいてカード会員ＩＤを検索し、当該カード会員に関する必要な情報を、カード会員情報ＤＢ１０４から抽出する。
【００６４】
図９は、カード会社サーバの記憶部のデータ構成の内容の一例を示す説明図である。図９において、記憶部７０４は、カード番号・カード会員ＩＤごとに、当該カード会員が獲得した有効なエコポイント総数と、カードの利用履歴とを関連付けして記憶する。カードの利用履歴には、当該利用によって獲得したエコポイント数もあわせて表示する。記憶部７０４は、決済処理部７０３による処理がおこなわれるごとに利用履歴の情報が追加されるとともに、エコポイント総数が書き換えられ、最新の状態を保持する。
【００６５】
図１０は、この発明の実施の形態にかかるカード会社サーバにおける処理の手順を示すフローチャートである。図１０のフローチャートにおいて、店舗端末装置１０１の送信部３０６から送信されたカード情報、利用金額情報、エコポイント数情報を受信したか否かを判断する（ステップＳ１００１）。ここで、上記情報が受信されるのを待って（ステップＳ１００１：Ｎｏ）、受信した場合（ステップＳ１００１：Ｙｅｓ）は、決済処理をおこない、処理結果を記憶部７０４に記憶する（ステップＳ１００２）。その際、エコポイント数をすでに記憶部７０４に記憶されてる当該顧客のエコポイント数に加算して記憶する（ステップＳ１００３）。このようにして、上記情報を受信部７０１が受信するたびに、決済処理およびエコポイントの加算処理が繰り返し実行される。
【００６６】
図１１は、この発明の実施の形態にかかるカード会社サーバにおける別の処理の手順を示すフローチャートである。図１１のフローチャートにおいて、まず、１つまたは複数の所定の項目において、所定のグループに該当する他のカード会員を特定する（ステップＳ１１０１）。たとえば、「血液型」の項目が「Ｏ型」というグループに属するカード会員のみを特定する。そして、ステップＳ１１０１において特定された顧客のカード会員ＩＤをカード会員情報ＤＢ１０４を用いて抽出する（ステップＳ１１０２）。
【００６７】
つぎに、抽出されたカード会員ＩＤを用いて、当該カード会員のエコポイント総数を集計し（ステップＳ１１０３）、集計結果を記憶部７０４の所定の記憶領域に記憶する（ステップＳ１１０４）。その後、当該項目における全てのグループについて集計処理が終了したか否かを判断する（ステップＳ１１０５）。ここで、当該項目における全てのグループについて終了していない場合（ステップＳ１１０５：Ｎｏ）には、ステップＳ１１０１へ戻って、以後ステップＳ１１０１〜Ｓ１１０５までの各工程を繰り返し実行する。
【００６８】
そして、ステップＳ１１０５において、当該項目における全てのグループについて集計処理が終了した場合（ステップＳ１１０５：Ｙｅｓ）は、集計結果をＷｅｂサーバ１０５に登録し（ステップＳ１１０６）、一連の処理を終了する。
【００６９】
図１２〜図１６は、Ｗｅｂサーバに登録される表示画面の一例を示す説明図である。カード会員が図示を省略するログイン画面からパスワードを入力することによって、図１２に示すような、Ｗｅｂページの表示画面を表示する。図１２に示す表示画面には、当該カード会員の氏名、所定期間（本年度）の獲得エコポイント数、全カード会員の平均獲得ポイント数、全カード会員の中の最高獲得ポイント数などを表示する。
【００７０】
また、所定の目標獲得ポイント数に対する目標達成度を数値（「５２％」）および画像の少なくともいずれかを用いて表示する。目標達成度の画像は、樹木をモチーフとし、目標達成度に応じて、樹木に着色されていったり、また、図示を省略するが樹木が成長したり、あるいは本数が増えたりする。また、カード会員に対してエコをより意識付けするために、二酸化炭素削減量に換算した数値などを表示してもよい。
【００７１】
また、図１３に示すように、毎月のカードの利用状況に対応させて、利用状況の表示と同一画面に表示するようにしてもよい。その際にも、会員の平均獲得ポイント数および最高獲得ポイント数などをあわせて表示してもよい。
【００７２】
また、カード会員の個人の獲得ポイント数だけでなく、カード会員が所属するグループと他のグループとの比較結果を表示するようにしてもよい。具体的には、図１４に示すように、カード会員の現住所の所定の地域（図１４では都道府県）別のエコポイント獲得ランキングを表示してもよい。所定の地域は図１４に示した都道府県に限らず、市町村などの単位のグループであってもよい。また、現住所ではなく、本籍地（出生地）別のランキングであってもよい。所属するグループは、カード会員情報ＤＢ１０４に登録されている情報を用いて集計することができる。これによって、カード会員どうしで、競争意識によって、ゲーム感覚でエコへの貢献度を促進することができる。
【００７３】
また、比較するグループは、カード会員が自由に選択することができる。図１５は、グループの選択画面の一例を示す説明図である。選択できるグループの項目は、カード会員情報ＤＢ１０４に記憶されている内容の中から決定すればよい。選択できるグループは１つに限定されず、複数を同時に選択することもできる。複数選択されると、図１６に示すように、選択された項目のＡＮＤ条件となるグループごとのランキングを表示することができる。
【００７４】
また、図１７−１および図１７−２は、エコポイントプログラムに参加する会員専用のカードの外観の一例を示す説明図である。図１７ー１において、エコカード１７００の（表面および裏面の少なくともいずれか一方）には、エコをイメージする樹木の絵をあしらったエコ貢献度画像１７０１が印刷されている。図１７−１に示したエコ貢献度画像１７０１の樹木の絵よりもは、図１７−２に示したエコ貢献度画像１７０２の樹木の絵の方が大きく育っており、その育成具合によって容易に貢献度を認識することができる。
【００７５】
エコ貢献度画像１７０１，１７０２は、図２に示したプリンタ２１１によって印刷されたものであり、エコポイント数を多く獲得するにしたがって、より大きな樹木に書き換えがおこなわれる。これによって、エコカードを利用してエコに貢献していることが、エコカードを見れば一目でわかる。また、図示を省略するが樹木の本数が増えたり、樹木の色が変わったりする（より深い緑色になるなど）ようにしてもよい。また、カード会員に対してエコをより意識付けするために、二酸化炭素削減量に換算した数値などを印刷するようにしてもよい。
【００７６】
また、獲得したエコポイントについては、ポイント数に応じて所定の商品やサービスと交換できたりしてもよく、また、獲得したポイントに応じて高ポイント獲得者として、カード会社などが提供する各種の特典が得られるようにしてもよい。図１７−１，図１７−２に示したように、エコ貢献度画像１７０１，１７０２の樹木の絵の大きさによって、いわゆるゴールドカードやプラチナカードと類似する特典などが得られるようにしてもよい。
【００７７】
以上説明したように、本実施の形態によれば、商品またはサービスの提供の対価をカードにて支払いが可能な店舗に備えられた店舗端末装置１０１（１０１Ａ〜１０１Ｃ））と、店舗において支払いに使用されたカードの決済処理をおこなうカード会社に備えられたカード会社サーバ１０２と、がネットワークによって接続されたカード決済システムであって、店舗端末装置１０１が、当該店舗において取り扱う商品またはサービスと、あらかじめ定められた当該商品またはサービスのエコ活動または福祉に対する貢献ポイント数とを関連付けして登録したエコポイントＤＢ１０３とネットワークによって接続され、商品情報入力部３０１が、顧客が購入した商品またはサービスに関する情報の入力を受け付け、エコポイント数取得部３０５が、商品情報入力部３０１によって入力された情報にかかる商品またはサービスに対するエコポイント数をエコポイントＤＢ１０３から、あるいは、エコポイントＤＢ１０３からではなく、商品などに付されたＩＣチップなどから取得し、送信部３０６が、エコポイント数取得部３０５によって取得されたエコポイント数を、商品情報入力部３０１によって入力された情報にかかる利用金額情報およびカード情報入力部３０２によって入力された顧客が支払いに使用したカード情報とともに、カード会社サーが１０２へ送信する。
【００７８】
そして、カード会社サーバ１０２の受信部７０１が、利用金額情報、カード情報およびエコポイント数を、店舗端末装置１０１から受信し、決済処理部７０３が、記憶部７０４に対して、受信部７０１によって受信されたカード情報とエコポイント数とを関連付けして登録し、エコポイント集計部７０５が、エコポイント数を記憶部７０４において関連付けされたカード情報の所定の項目ごとに集計し、登録部７０６が、エコポイント集計部７０５によって集計された集計結果を、所定のＷｅｂサーバに閲覧可能に登録する。これによって、カード利用にともなって、エコ活動または福祉への貢献がなされることをカード利用者に容易に意識させることができる。
【００７９】
また、本実施の形態によれば、エコポイント集計処理部７０５が、複数の顧客のエコポイント数をカード情報の所定の項目が共通する集合（グループ）ごとに集計し、また、複数の顧客のエコポイント数をカード情報の所定の複数の項目が全て共通する集合（グループ）ごとに集計し、さらに、Ｗｅｂサーバ１０５を介して、エコポイント数に関する集計の要求を受け付け、受け付けられた集計の要求に基づいて、エコポイント数を集計するため、エコ活動や福祉への貢献に対する競争意識を持たせることができ、ゲーム感覚で、エコ活動や福祉への貢献を図ることができる。
【００８０】
なお、本実施の形態で説明したカード決済方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００８１】
以上のように、本発明にかかるカード決済システム、カード決済方法、およびカード決済プログラムは、エコへの貢献に有用であり、特に、顧客に対してエコへの貢献を意識させ、かつカードの利用促進を図るのに適している。
【符号の説明】
【００８２】
１０１Ａ、１０１Ｂ、１０１Ｃ  店舗端末装置
１０２  カード会社サーバ
１０３  エコポイント・データベース（ＤＢ）
１０４  カード会員情報データベース（ＤＢ）
１０５  Ｗｅｂサーバ
３０１  商品情報入力部
３０２  カード情報入力部
３０３  代金支払処理部
３０４  受信部
３０５  エコポイント数取得部
３０６  送信部
７０１  受信部
７０２  送信部
７０３  決済処理部
７０４  記憶部
７０５  エコポイント集計部
７０６  登録部
１７００  エコカード
１７０１、１７０２  エコ貢献度画像
【図１】
2010238064.tif 000003
【図２】
2010238064.tif 000004
【図３】
2010238064.tif 000005
【図４】
2010238064.tif 000006
【図５】
2010238064.tif 000007
【図６】
2010238064.tif 000008
【図７】
2010238064.tif 000009
【図８】
2010238064.tif 000010
【図９】
2010238064.tif 000011
【図１０】
2010238064.tif 000012
【図１１】
2010238064.tif 000013
【図１２】
2010238064.tif 000014
【図１３】
2010238064.tif 000015
【図１４】
2010238064.tif 000016
【図１５】
2010238064.tif 000017
【図１６】
2010238064.tif 000018
【図１７−１】
2010238064.tif 000019
【図１７−２】
2010238064.tif 000020